(57)【要約】【課題】狭空間に侵入させやすいとともに、狭空間の清掃性に優れる清掃具を提供すること。【解決手段】清掃ヘッド３が、長手方向Ｌ及び短手方向Ｓを含む平面方向Ｐと、厚さ方向Ｔとを備えている板状の形状を有するとともに、清掃面ＣＳと、清掃面ＣＳと反対側のヘッド回転部材連結面ＨＳとを備えており、清掃ヘッド３が、ヘッド回転部材連結面ＨＳに、柄連結部５と、柄連結部５から所定の方向に延びている、清掃具用柄７を収納するための、底部１５を有する窪み部１３とを備えており、窪み部１３が、清掃具用柄７を窪み部１３に収納した状態において、清掃具用柄７が平面方向Ｐに移動できるように構成されていることを特徴とする清掃具１。【選択図】図１
2020188823.tif 000002
【特許請求の範囲】
【請求項１】
柄連結部を備える清掃ヘッドと、前記柄連結部に連結されているヘッド回転部材及び柄本体部を備えている清掃具用柄とを備えている清掃具であって、
前記清掃ヘッドが、長手方向及び短手方向を含む平面方向と、厚さ方向とを備えている板状の形状を有するとともに、清掃面と、前記清掃面と反対側のヘッド回転部材連結面とを備えており、
前記清掃ヘッドが、前記ヘッド回転部材連結面に、前記柄連結部と、前記柄連結部から所定の方向に延びている、前記清掃具用柄を収納するための、底部を有する窪み部とを備えており、
前記窪み部が、前記清掃具用柄を前記窪み部に収納した状態において、前記清掃具用柄が前記平面方向に移動できるように構成されている、
ことを特徴とする、前記清掃具。
【請求項２】
前記厚さ方向において、前記柄連結部の最も高い部分である連結部最高位部分が、前記清掃ヘッドの、前記柄連結部以外の部分の最も高い部分であるヘッド最高位部分と同一の位置又はそれよりも低い位置に配置されるように構成されている、請求項１に記載の清掃具。
【請求項３】
前記清掃具用柄を前記窪み部に収納した際に、前記厚さ方向において、前記ヘッド回転部材が、前記窪み部の最も高い部分である窪み部最高位部分と同一の位置又はそれよりも低い位置に配置されるように構成されている、請求項２に記載の清掃具。
【請求項４】
前記清掃具用柄を前記窪み部に収納した際に、前記柄本体部が前記窪み部に収納されるとともに、前記厚さ方向において、前記柄本体部が、前記窪み部最高位部分と同一の位置又はそれよりも低い位置に配置されるように構成されている、請求項３に記載の清掃具。
【請求項５】
前記底部が、前記平面方向と平行に延びている、請求項１〜４のいずれか一項に記載の清掃具。
【請求項６】
前記清掃面が、前記窪み部の前記底部の、前記厚さ方向に対応する位置に清掃領域を有する、請求項１〜５のいずれか一項に記載の清掃具。
【請求項７】
前記窪み部が、前記柄連結部の、前記所定の方向の両方に配置された、一対の窪み部である、請求項１〜６のいずれか一項に記載の清掃具。
【請求項８】
前記清掃具用柄が、前記ヘッド回転部材と、前記柄本体部とを連結及び開放するための押込部であって、前記清掃具用柄の軸線と交差する方向に突出しているものとを備えており、
前記清掃具用柄を前記窪み部に収納した際に、前記押込部が、前記回転部材連結面に向かって突出しないように構成されている、
請求項１〜７のいずれか一項に記載の清掃具。
【請求項９】
前記清掃具用柄を前記窪み部に収納した際に、前記押込部が、前記平面方向に沿う方向に突出するように構成されている、請求項８に記載の清掃具。
【請求項１０】
前記柄本体部が、前記ヘッド回転部材に連結されている第１柄部分と、第２柄部分と、第１柄部分及び第２柄部分を連結及び開放するための本体押込部であって、前記清掃具用柄の軸線と交差する方向に突出しているものとを備えており、
前記清掃具用柄を窪み部に収納した際に、前記本体押込部が、前記回転部材連結面に向かって突出しないように構成されている、
請求項１〜９のいずれか一項に記載の清掃具。
【請求項１１】
前記清掃具用柄を前記窪み部に収納した際に、前記本体押込部が、前記平面方向に沿う方向に突出するように構成されている、請求項１０に記載の清掃具。
【発明の詳細な説明】
【技術分野】
【０００１】
本開示は、清掃具に関する。
【背景技術】
【０００２】
床等の清掃面を清掃するための清掃具が知られている。
例えば、特許文献１には、清掃ヘッドを狭い高さのスペースに進入可能にするとともに、清掃ヘッドを被清掃面に対して立ててそのエッジにより清掃可能にする清掃具が開示されている。特許文献１に記載の清掃具は、以下の構成を有する。
柄の先端に継手を介して回動可能に清掃ヘッドを設けた清掃具であって、清掃ヘッドの上面に継手を配置する凹部を設けるとともに、清掃ヘッドの上面の凹部から該清掃ヘッドの外縁に延在する溝を設け、柄を上記溝に収容可能にした清掃具が開示されている。
【先行技術文献】
【特許文献】
【０００３】
【特許文献１】特開２００６−１８０９３１号公報
【発明の概要】
【発明が解決しようとする課題】
【０００４】
特許文献１に記載の清掃具は、清掃ヘッドを狭空間に侵入させやすいものであるが、清掃ヘッドの凹部及び溝の深さ及び幅が、柄の直径と概ね同一であることから、清掃ヘッドを狭空間に入れた際に、清掃ヘッドと、柄との間の角度を変えることができず、狭空間を十分に清掃できない場合があった。
従って、本開示は、狭空間に侵入させやすいとともに、狭空間の清掃性に優れる清掃具を提供することを目的とする。
【課題を解決するための手段】
【０００５】
本開示者らは、柄連結部を備える清掃ヘッドと、上記柄連結部に連結されているヘッド回転部材及び柄本体部を備えている清掃具用柄とを備えている清掃具であって、上記清掃ヘッドが、長手方向及び短手方向を含む平面方向と、厚さ方向とを備えている板状の形状を有するとともに、清掃面と、上記清掃面と反対側のヘッド回転部材連結面とを備えており、上記清掃ヘッドが、上記ヘッド回転部材連結面に、上記柄連結部と、上記柄連結部から所定の方向に延びている、上記清掃具用柄を収納するための、底部を有する窪み部とを備えており、上記窪み部が、上記清掃具用柄を上記窪み部に収納した状態において、上記清掃具用柄が上記平面方向に移動できるように構成されていることを特徴とする清掃具を見出した。
【発明の効果】
【０００６】
本開示の清掃具は、狭空間に侵入させやすいとともに、狭空間の清掃性に優れる。
【図面の簡単な説明】
【０００７】
【図１】図１は、第（Ａ−１）実施形態に従う清掃具１を説明するための図である。
【図２】図２は、第（Ａ−１）実施形態に従う清掃具１を説明するための図である。
【図３】図３は、第（Ａ−１）実施形態に従う清掃具１を説明するための図である。
【図４】図４は、第（Ａ−１）実施形態に従う清掃具１を説明するための図である。
【図５】図５は、第（Ａ−２）実施形態に従う清掃具１を説明するための図である。
【図６】図６は、第（Ｂ−１）実施形態に従う清掃ヘッド１０１を説明するための図である。
【図７】図７は、第（Ｂ−１）実施形態に従う清掃ヘッド１０１を説明するための図である。
【図８】図８は、第（Ｂ−１）実施形態に従う清掃ヘッド１０１を説明するための図である。
【図９】図９は、第（Ｂ−２）実施形態に従う清掃ヘッド１０１を説明するための図である。
【図１０】図１０は、第（Ｂ−２）実施形態に従う清掃ヘッド１０１を説明するための図である。
【図１１】図１１は、第（Ｃ−１）実施形態に従う清掃具２０１を説明するための図である。
【発明を実施するための形態】
【０００８】
［定義］
・対象物に関する「所定の方向に沿う」
本明細書では、対象物に関して「所定の方向に沿う」とは、対象物が、所定の方向（例えば、長手方向、平面方向等）と直交する直交方向よりも、所定の方向に近い方向に延びていることを意味し、そして具体的には、対象物が、所定の方向と、好ましくは４５°未満、より好ましくは３０°以下、さらに好ましくは２０°以下、そしてさらにいっそう好ましくは５°以下の交差角を有するように延びていることを意味する。
なお、本明細書では、交差角が５°以下である場合に、「所定の方向と平行」と称する場合がある。
【０００９】
具体的には、本開示は、以下の態様Ａ群に関する。
［態様Ａ１］
柄連結部を備える清掃ヘッドと、上記柄連結部に連結されているヘッド回転部材及び柄本体部を備えている清掃具用柄とを備えている清掃具であって、
上記清掃ヘッドが、長手方向及び短手方向を含む平面方向と、厚さ方向とを備えている板状の形状を有するとともに、清掃面と、上記清掃面と反対側のヘッド回転部材連結面とを備えており、
上記清掃ヘッドが、上記ヘッド回転部材連結面に、上記柄連結部と、上記柄連結部から所定の方向に延びている、上記清掃具用柄を収納するための、底部を有する窪み部とを備えており、
上記窪み部が、上記清掃具用柄を上記窪み部に収納した状態において、上記清掃具用柄が上記平面方向に移動できるように構成されている、
ことを特徴とする、上記清掃具。
【００１０】
上記清掃具では、清掃ヘッドのヘッド回転部材連結面が、清掃具用柄を収納するための窪み部を備えているので、（ｉ）清掃具の収納時においては、清掃具用柄を窪み部に収納し、清掃具の、厚さ方向の厚さを薄くして収納することができ、（ｉｉ）清掃時においては、狭空間を清掃する際に、清掃具用柄が狭空間の天面部（例えば、家具の底）及び底面部（例えば、床）に接触しにくく、清掃具用柄が天面部及び底面部を傷つけにくい。
また、上記清掃具では、窪み部が所定の構造を有しているため、清掃具用柄を窪み部に収納した状態で、清掃具用柄と、清掃ヘッドとの角度を変えることができ、清掃具用柄を窪み部に収納した状態における清掃性に優れる。
【００１１】
［態様Ａ２］
上記厚さ方向において、上記柄連結部の最も高い部分である連結部最高位部分が、上記清掃ヘッドの、上記柄連結部以外の部分の最も高い部分であるヘッド最高位部分と同一の位置又はそれよりも低い位置に配置されるように構成されている、態様Ａ１に記載の清掃具。
【００１２】
上記清掃具は、柄連結部の連結部最高位部分が、清掃ヘッド（柄連結部を除く）のヘッド最高位部分と同一であるか、それよりも低い位置に配置されるように構成されているので、狭空間を清掃する際に、柄連結部が狭空間の天面部に接触しにくく、柄連結部が天面部を傷つけにくい。
【００１３】
［態様Ａ３］
上記清掃具用柄を上記窪み部に収納した際に、上記厚さ方向において、上記ヘッド回転部材が、上記窪み部の最も高い部分である窪み部最高位部分と同一の位置又はそれよりも低い位置に配置されるように構成されている、態様Ａ２に記載の清掃具。
【００１４】
上記清掃具では、清掃具用柄を窪み部に収納した際に、ヘッド回転部材が所定の位置に配置されるように構成されているので、狭空間を清掃する際に、ヘッド回転部材が狭空間の天面部に接触しにくく、ヘッド回転部材が天面部を傷つけにくい。
【００１５】
［態様Ａ４］
上記清掃具用柄を上記窪み部に収納した際に、上記柄本体部が上記窪み部に収納されるとともに、上記厚さ方向において、上記柄本体部が、上記窪み部最高位部分と同一の位置又はそれよりも低い位置に配置されるように構成されている、態様Ａ３に記載の清掃具。
【００１６】
上記清掃具では、清掃具用柄を窪み部に収納した際に、清掃具用柄が所定の位置に配置されるように構成されているので、狭空間を清掃する際に、清掃具用柄が狭空間の天面部に接触しにくく、清掃具用柄が天面部を傷つけにくい。
【００１７】
［態様Ａ５］
上記底部が、上記平面方向と平行に延びている、態様Ａ１〜Ａ４のいずれか一項に記載の清掃具。
【００１８】
上記清掃具では、底部が平面方向と平行に延びているので、清掃ヘッドを狭空間に入れた際に、清掃具用柄が、平面方向と平行になりやすく、清掃具用柄が、狭空間の天面部及び底面部に接触しにくくなる。
【００１９】
［態様Ａ６］
上記清掃面が、上記窪み部の上記底部の、上記厚さ方向に対応する位置に清掃領域を有する、態様Ａ１〜Ａ５のいずれか一項に記載の清掃具。
【００２０】
上記清掃具では、清掃面が所定の清掃領域を有するため、清掃ヘッドが清掃領域を有しない場合と比較して、使用者が清掃具用柄に加えた力が、清掃面の清掃領域を介して、被清掃面に伝わりやすく、被清掃面の清掃性が向上する。
【００２１】
［態様Ａ７］
上記窪み部が、上記柄連結部の、上記所定の方向の両方に配置された、一対の窪み部である、態様Ａ１〜Ａ６のいずれか一項に記載の清掃具。
【００２２】
上記清掃具では、窪み部が、所定の一対の窪み部であるため、清掃具用柄を、清掃具の短手方向の両側に倒すことができ、清掃の自由度が向上する。
【００２３】
［態様Ａ８］
上記清掃具用柄が、上記ヘッド回転部材と、上記柄本体部とを連結及び開放するための押込部であって、上記清掃具用柄の軸線と交差する方向に突出しているものとを備えており、
上記清掃具用柄を上記窪み部に収納した際に、上記押込部が、上記回転部材連結面に向かって突出しないように構成されている、
態様Ａ１〜Ａ７のいずれか一項に記載の清掃具。
【００２４】
上記清掃具では、清掃具用柄の押込部が、所定の方向に突出しないように構成されているので、清掃具用柄を窪み部に収納して狭空間を掃除する際に、押込部が、底面部に接触しにくく、押込部が、底面部を傷つけにくい。
【００２５】
［態様Ａ９］
上記清掃具用柄を上記窪み部に収納した際に、上記押込部が、上記平面方向に沿う方向に突出するように構成されている、態様Ａ８に記載の清掃具。
【００２６】
上記清掃具では、清掃具用柄を窪み部に収納した際に、清掃具用柄の押込部が、所定の方向に突出するように構成されているので、清掃具用柄を窪み部に収納して狭空間を掃除する際に、押込部が、天面部及び底面部に接触しにくく、押込部が、天面部及び底面部を傷つけにくい。また、窪み部が、柄連結部の両端に配置されている場合であっても、清掃具用柄を窪み部に収納して狭空間を掃除する際に、押込部が、天面部及び底面部に接触しにくく、押込部が天面部及び底面部を傷つけにくい。
【００２７】
［態様Ａ１０］
上記柄本体部が、上記ヘッド回転部材に連結されている第１柄部分と、第２柄部分と、第１柄部分及び第２柄部分を連結及び開放するための本体押込部であって、上記清掃具用柄の軸線と交差する方向に突出しているものとを備えており、
上記清掃具用柄を窪み部に収納した際に、上記本体押込部が、上記回転部材連結面に向かって突出しないように構成されている、
態様Ａ１〜Ａ９のいずれか一項に記載の清掃具。
【００２８】
上記清掃具では、本体押込部が、所定の方向に突出しないように構成されているので、清掃具用柄を窪み部に収納して狭空間を掃除する際に、本体押込部が、底面部に接触しにくく、本体押込部が、底面部を傷つけにくい。
【００２９】
［態様Ａ１１］
上記清掃具用柄を上記窪み部に収納した際に、上記本体押込部が、上記平面方向に沿う方向に突出するように構成されている、態様Ａ１０に記載の清掃具。
【００３０】
上記清掃具では、清掃具用柄を窪み部に収納した際に、本体押込部が、所定の方向に突出するように構成されているので、清掃具用柄を窪み部に収納して狭空間を掃除する際に、本体押込部が、天面部及び底面部に接触しにくく、押込部が、天面部及び底面部を傷つけにくい。また、窪み部が、柄連結部の両端に配置されている場合であっても、清掃具用柄を窪み部に収納して狭空間を掃除する際に、本体押込部が、天面部及び底面部に接触しにくく、本体押込部が天面部及び底面部を傷つけにくい。
【００３１】
また、本開示は、以下の態様Ｂ群に関する。
［態様Ｂ１］
清掃ヘッドと、柄連結部と、上記柄連結部に連結されるヘッド回転部材と、上記ヘッド回転部材に連結される清掃具用柄とを備えている清掃具用の清掃ヘッドであって、
上記清掃ヘッドが、清掃面と、上記清掃面と反対側の、上記ヘッド回転部材を連結するためのヘッド回転部材連結面とを備えており、
上記清掃ヘッドが、使い捨て可能なように構成されている、
ことを特徴とする、上記清掃ヘッド。
【００３２】
清掃シートを取り付けて用いられる清掃ヘッド、並びに当該清掃ヘッドを備える清掃具が知られている。上記清掃具では、清掃の都度、又は清掃シートが汚れた場合に、清掃シートを交換することができ、衛生的に清掃することができるものである。
一方、清掃具を使用するにつれ、例えば、汚れの多い被清掃面を清掃した場合には、汚れが清掃シートを通過し、清掃ヘッドに付着することがある。従って、清掃具を使用するにつれ、清掃ヘッドが汚れる傾向にあり、清掃ヘッドを洗浄する必要性が生じる場合があった。
上記清掃ヘッドは、使い捨て可能なように構成されているので、清掃ヘッドの汚れ具合に応じて、清掃ヘッドを交換することができるので、衛生的に清掃することができる。
【００３３】
［態様Ｂ２］
上記柄連結部が、使い捨て可能なように構成されている、態様Ｂ１に記載の清掃ヘッド。
【００３４】
上記清掃ヘッドでは、柄連結部が使い捨て可能なように構成されているので、柄連結部の汚れ具合に応じて、柄連結部を交換することができるので、衛生的に清掃することができる。
【００３５】
［態様Ｂ３］
上記清掃ヘッド及び柄連結部が、一体化されている、態様Ｂ２に記載の清掃ヘッド。
【００３６】
上記清掃ヘッドでは、清掃ヘッド及び柄連結部が一体化されているので、清掃ヘッド及び柄連結部を一度に交換することができる。
【００３７】
［態様Ｂ４］
上記清掃ヘッドの素材が、紙、発泡スチロール、プラスチック及び木材、並びにそれらの任意の組み合わせからなる群から選択される、態様Ｂ１〜Ｂ３のいずれか一項に記載の清掃ヘッド。
【００３８】
上記清掃ヘッドは、所定の素材から構成されているので、軽く、清掃性に優れる。
【００３９】
［態様Ｂ５］
上記清掃ヘッドが、清掃シートを取り付けて用いられるように構成されている、態様Ｂ１〜Ｂ４のいずれか一項に記載の清掃ヘッド。
【００４０】
上記清掃ヘッドは、清掃シートを取り付けて用いられるように構成されているので、清掃ヘッドが、その交換時期に到来するまで、例えば、清掃ヘッドが汚れるまで清掃シートを交換して清掃ヘッドを使用することにより、清掃ヘッドを複数回使用することができる。
【００４１】
［態様Ｂ６］
上記清掃ヘッドが、上記清掃シートを取り付けるための清掃シート取付部として、両面テープ、接着剤、面ファスナー、メカニカルロック、及びそれらの任意の組み合わせからなる群から選択されるものを備えている、態様Ｂ５に記載の清掃ヘッド。
【００４２】
上記清掃ヘッドは、所定の清掃シート取付部を備えているので、清掃シートを簡易に取り付けることができる。
【００４３】
さらに、本開示は、以下の態様Ｃ群に関する。
［態様Ｃ１］
平面状の清掃ヘッドと、上記清掃ヘッドの側面に連結されている清掃具用柄とを備えている清掃具であって、
上記清掃具用柄が、上記清掃ヘッドよりもたわみにくい、
ことを特徴とする、上記清掃具。
【００４４】
上記清掃具は、清掃具用柄が清掃ヘッドよりもたわみにくいので、狭空間の清掃がしやすい。
【００４５】
［態様Ｃ２］
上記清掃具用柄の軸線と直交する方向において、上記清掃具用柄が、上記清掃ヘッドよりもたわみにくい、態様Ｃ１に記載の清掃具。
【００４６】
上記清掃具は、清掃具用柄が清掃ヘッドよりも所定の方向においてたわみにくいので、狭空間の清掃がしやすい。
【００４７】
［態様Ａ群］
本開示の清掃具について、以下、詳細に説明する。
図１〜図４は、本開示の実施形態（以下、「第（Ａ−１）実施形態」と称する）に従う清掃具１を説明するための図である。具体的には、図１は、清掃具１の斜視図である。図２は、清掃具１の清掃ヘッド３部分の拡大図である。図３は、清掃具用柄７を倒した状態における清掃ヘッド３部分の拡大図である。図４は、図３のＩＶ−ＩＶ断面における断面図である。
【００４８】
第（Ａ−１）実施形態に従う清掃具１は、柄連結部５を備える清掃ヘッド３と、柄本体部９及びヘッド回転部材１１を備える清掃具用柄７とを備えている。清掃具用柄７のヘッド回転部材１１は、清掃ヘッド３の柄連結部５に回転可能に連結されている。
清掃ヘッド３には、清掃シートを固定するためのスリット部５１が、計４カ所設けられている。
【００４９】
柄連結部５は、長手方向Ｌに延びる円柱状の構造を有している。ヘッド回転部材１１は、第１部材１１ａと、第２部材１１ｂと、連結部材１１ｃ（具体的には、リベット）とから構成されている。第１部材１１ａは、円柱状の柄連結部５の周面を覆っているとともに、円柱状の柄連結部５の周方向に回転可能である。第２部材１１ｂは、連結部材１１ｃを介して第１部材１１ａに連結されているとともに、連結部材１１ｃを中心に、円柱状の柄連結部５の軸線に近づくように回転可能である。柄連結部５及びヘッド回転部材１１のそれぞれの構造は公知であるため、説明を省略する。
【００５０】
清掃ヘッド３は、長手方向Ｌ及び短手方向Ｓを含む平面方向Ｐと、厚さ方向Ｔとを備えている板状の形状を有するとともに、清掃面ＣＳと、清掃面ＣＳと反対側のヘッド回転部材連結面ＨＳとを備えている。
【００５１】
清掃ヘッド３は、ヘッド回転部材連結面ＨＳに、柄連結部５と、柄連結部５から短手方向Ｓに延びている、ヘッド回転部材１１を収納するための、一対の窪み部１３とを備えている。一対の窪み部１３のそれぞれは、底部１５を備えている。
【００５２】
一対の窪み部１３のそれぞれは、清掃具用柄７を窪み部１３に収納した状態において、清掃具用柄７を、平面方向Ｐに回転可能であるように構成されている。具体的には、一対の窪み部１３のそれぞれは、平面方向Ｐにおいて、柄連結部５から遠ざかるほど拡がるように構成されている、具体的には、柄連結部５から短手方向Ｓに遠ざかるほど、長手方向Ｌに拡がるように構成されている。それにより、清掃具用柄７を窪み部１３に収納した状態において、清掃具用柄７を、平面方向Ｐに回転しやすくなる。
【００５３】
また、一対の窪み部１３のそれぞれでは、底部１５が、平面方向Ｐ、具体的には、短手方向Ｓと平行に延びている。それにより、清掃ヘッド３を狭空間に入れた際に、清掃具用柄７が、平面方向Ｐと平行になりやすく、清掃具用柄７が、狭空間の天面部及び底面部に接触しにくくなる。
【００５４】
なお、清掃面ＣＳは、一対の窪み部１３のそれぞれの底部１５の、厚さ方向Ｔに対応する位置に、清掃領域２７を有する。それにより、清掃ヘッド３が清掃領域２７を有しない場合と比較して、使用者が清掃具用柄７に加えた力が、清掃面ＣＳの清掃領域２７を介して被清掃面に伝わりやすく、被清掃面の清掃性が向上する。
【００５５】
厚さ方向Ｔを、清掃面ＣＳよりの厚さ方向第１方向Ｔ1と、ヘッド回転部材連結面ＨＳよりの厚さ方向第２方向Ｔ2とに区画するとともに、厚さ方向第１方向Ｔ1を高さ方向（高さが高い方向）とした場合に、厚さ方向Ｔにおいて、柄連結部５の最も高い部分である連結部最高位部分２１が、清掃ヘッド３の、柄連結部５以外の部分の最も高い部分であるヘッド最高位部分２３と同一の位置に配置されるように構成されている。それにより、狭空間を清掃する際に、柄連結部５が狭空間の天面部に接触しにくく、柄連結部５が天面部を傷つけにくくなる。
【００５６】
清掃具１では、清掃具用柄７を窪み部１３に収納した際に、厚さ方向Ｔにおいて、ヘッド回転部材１１が、一対の窪み部１３の最も高い部分である窪み部最高位部分２５と同一の位置に配置されるように構成されている。それにより、狭空間を清掃する際に、ヘッド回転部材１１が、狭空間の天面部に接触しにくく、ヘッド回転部材１１が天面部を傷つけにくくなる。
【００５７】
清掃具用柄７の柄本体部９は、ヘッド回転部材１１に連結されている第１柄部分３１と、第２柄部分３３と、第３柄部分３５と、把持部３９を備える第４柄部分３７とを順に備えている。
清掃具用柄７は、ヘッド回転部材１１と、第１柄部分３１とを連結及び開放するための押込部４１を備えている。押込部４１は、清掃具用柄７の軸線ＡＬと交差する方向、具体的には、軸線ＡＬと直交する方向に突出している。より具体的には、押込部４１は、清掃具用柄７を一対の窪み部１３のそれぞれに収納した際に、平面方向Ｐ、具体的には、長手方向Ｌに沿う方向に突出するように配置されている。それにより、狭空間を清掃する際に、押込部４１が、狭空間の天面部及び底面部に接触しにくくなる。
なお、押込部４１の構造は公知であることから、説明を省略する。
【００５８】
また、柄本体部９は、第１柄部分３１及び第２柄部分３３を連結及び開放するための本体第１押込部４３と、第２柄部分３３及び第３柄部分３５を連結及び開放するための本体第２押込部４５と、第３柄部分３５及び第４柄部分３７を連結及び開放するための本体第３押込部４７とを備えている。
【００５９】
本体第１押込部４３〜本体第３押込部４７のそれぞれは、押込部４１と同様に、清掃具用柄７を一対の窪み部１３のそれぞれに収納した際に、平面方向Ｐ、具体的には、長手方向Ｌに沿う方向に突出するように配置されている。それにより、狭空間を清掃する際に、本体第１押込部４３〜本体第３押込部４７のそれぞれが、狭空間の天面部及び底面部に接触しにくくなる。
【００６０】
図５は、本開示の別の実施形態（以下、「第（Ａ−２）実施形態」と称する）に従う清掃具１を説明するための図であり、第（Ａ−１）実施形態に従う清掃具１の図３に相当する図面である。
第（Ａ−２）実施形態に従う清掃具１では、清掃ヘッド３が、ヘッド回転部材連結面ＨＳに、柄連結部５と、ヘッド回転部材１１を収納するための、一対の窪み部１３とを備えている。
【００６１】
一対の窪み部１３のそれぞれは、第（Ａ−１）実施形態に従う清掃具１と異なり、柄連結部５から短手方向Ｓに遠ざかるほど、長手方向Ｌに拡がるように構成されてはおらず、長手方向Ｌ及び短手方向Ｓの両方に延びており、厚さ方向Ｔから見て略矩形の形状を有している。第（Ａ−２）実施形態に従う清掃具１も、一対の窪み部１３が、清掃具用柄７を一対の窪み部１３のいずれかに収納した状態において、清掃具用柄７が平面方向Ｐに移動できるように構成されている。
第（Ａ−２）実施形態に従う清掃具１は、それ以外の部分については、第（Ａ−１）実施形態に従う清掃具１と同様であるため、説明を省略する。
【００６２】
本開示の清掃具では、柄連結部を備える清掃ヘッドと、柄連結部に連結されているヘッド回転部材及び柄本体部を備えている清掃具用柄とを備えているものであれば、特に制限されない。清掃ヘッドと、清掃具用柄とは、連結されたままであるものであっても、そして連結及び開放可能なものであってもよい。また、清掃ヘッド及び清掃具用柄が連結及び開放可能なものである場合に、清掃ヘッド及び清掃具用柄は、任意の箇所、例えば、（ｉ）清掃ヘッドの柄連結部と、清掃具用柄のヘッド回転部材との間、（ｉｉ）清掃ヘッドの柄連結部と、清掃ヘッドの残余の部分との間、（ｉｉｉ）清掃具用柄のヘッド回転部材と、柄本体部との間、（ｉｖ）清掃具用柄の柄本体部の間等において連結及び開放可能であることができる。
【００６３】
本開示の清掃具では、清掃ヘッドが、長手方向及び短手方向を含む平面方向と、厚さ方向とを備えている板状の形状を有するとともに、清掃面と、清掃面と反対側のヘッド回転部材連結面とを備えている。
また、清掃ヘッドは、ヘッド回転部材連結面に、柄連結部と、柄連結部から所定の方向に延びている、清掃具用柄を収納するための、底部を有する窪み部とを備えている。
【００６４】
上記柄連結部は、清掃ヘッドのヘッド回転部材連結面の任意の場所に配置されることができ、清掃ヘッドの短手方向の中心から、短手方向の両端に向かって、好ましくは３０％（清掃ヘッドの短手方向の両端のそれぞれ２０％を除く）、より好ましくは２５％（清掃ヘッドの短手方向の両端のそれぞれ２５％を除く）、さらに好ましくは２０％（清掃ヘッドの短手方向の両端のそれぞれ３０％を除く）、さらにいっそう好ましくは１５％（清掃ヘッドの短手方向の両端のそれぞれ３５％を除く）の範囲に配置されることが好ましい。清掃具用柄に加えられた力を、清掃ヘッドの清掃面に均等に加える観点からである。
【００６５】
上記柄連結部は、清掃ヘッドの長手方向の中心から、長手方向の両端に向かって、好ましくは３０％（清掃ヘッドの長手方向の両端のそれぞれ２０％を除く）、より好ましくは２５％（清掃ヘッドの長手方向の両端のそれぞれ２５％を除く）、さらに好ましくは２０％（清掃ヘッドの長手方向の両端のそれぞれ３０％を除く）、さらにいっそう好ましくは１５％（清掃ヘッドの長手方向の両端のそれぞれ３５％を除く）の範囲に配置されることが好ましい。清掃具用柄に加えられた力を、清掃ヘッドの清掃面に均等に加える観点からである。
【００６６】
上記窪み部が延びる方向である、上記所定の方向は、特に制限されず、例えば、短手方向、長手方向等が挙げられる。
【００６７】
上記窪み部は、清掃具用柄を窪み部に収納した状態において、清掃具用柄が平面方向に移動できるように構成されている。当該観点からは、例えば、（ｉ）上記窪み部を、柄連結部から、上記所定の方向に遠ざかるほどに、上記所定の方向と直交する方向（平面方向内）に拡がるように構成させることができ、そして（ｉｉ）上記窪み部の、上記所定の方向と直交する方向（平面方向内）の長さを、清掃具用柄の太さよりも長くなるように構成させることができる。
【００６８】
上記窪み部では、上記底部が、平面方向と平行に延びていることが好ましい。それにより、清掃ヘッドを狭空間に入れた際に、清掃具用柄が、平面方向と平行になりやすく、清掃具用柄が、狭空間の天面部及び底面部に接触しにくくなる。
【００６９】
上記窪み部は、上記柄連結部の、上記所定の方向の一方又は両方に配置されたものであることができ、そして上記柄連結部の、上記所定の方向の両方に配置された、一対の窪み部であることが好ましい。それにより、清掃具用柄を、清掃具の短手方向の両側に倒すことができ、清掃の自由度が向上する。
【００７０】
清掃具用柄を窪み部に収納した状態において、清掃具用柄を平面方向に移動可能とするために、清掃具用柄のヘッド回転部材は、清掃具用柄を、窪み部に向かって倒すことができる（例えば、柄連結部の周囲を回転することができる）とともに、窪み部と平行（平面方向と平行）に移動させる（例えば、回転させる）ことができることが好ましい。
【００７１】
清掃具用柄を窪み部に収納した状態において、清掃具用柄を窪み部と平行（平面方向と平行）に移動させるために、ヘッド回転部材が、清掃具用柄を平面方向に回転させることが可能な平面方向回転機構を備えることが好ましい。
上記平面方向回転機構としては、第（Ａ−１）実施形態に従う清掃具における、ヘッド回転部材１１（第１部材１１ａ、第２部材１１ｂ、及び連結部材１１ｃ）が挙げられる。
【００７２】
上記平面方向回転機構は、清掃具用柄を窪み部に収納した状態において、清掃ヘッドと厚さ方向に重複する位置に配置されることが好ましい。それにより、清掃ヘッドの柄連結部と、清掃具用柄のヘッド回転部材の平面方向回転機構とが近い位置に配置されることになり、清掃具の清掃性、特に狭空間の清掃性が向上する。
また、当該観点からは、清掃ヘッドの柄連結部と、平面方向回転機構とが隣接して配置されていることが好ましい。
【００７３】
本開示の清掃具では、清掃面が、上記窪み部の上記底部の、上記厚さ方向に対応する位置に清掃領域を有することが好ましい。それにより、清掃ヘッドが清掃領域を有しない場合と比較して、使用者が清掃具用柄に加えた力が、清掃面の清掃領域を介して、被清掃面に伝わりやすく、被清掃面の清掃性が向上する。
【００７４】
本開示の清掃具では、厚さ方向において、柄連結部の最も高い部分である連結部最高位部分が、清掃ヘッドの柄連結部以外の部分の最も高い部分であるヘッド最高位部分と同一の位置又はそれよりも低い位置に配置されるように構成されていることが好ましい。それにより、狭空間を清掃する際に、柄連結部が狭空間の天面部に接触しにくくなり、柄連結部が天面部を傷つけにくくなる。
【００７５】
また、清掃具用柄を窪み部に収納した際に、厚さ方向において、ヘッド回転部材が、窪み部の最も高い部分である窪み部最高位部分と同一の位置又はそれよりも低い位置に配置されるように構成されていることが好ましい。それにより、狭空間を清掃する際に、ヘッド回転部材が狭空間の天面部に接触しにくくなり、ヘッド回転部材が天面部を傷つけにくくなる。
【００７６】
さらに、清掃具用柄を窪み部に収納した際に、柄本体部が窪み部に収納される場合には、厚さ方向において、柄本体部が、上記窪み部最高位部分と同一の位置又はそれよりも低い位置に配置されるように構成されていることが好ましい。それにより、狭空間を清掃する際に、柄本体部が狭空間の天面部に接触しにくくなり、柄本体部が天面部を傷つけにくくなる。
【００７７】
本開示の清掃具では、清掃具用柄が、ヘッド回転部材と、柄本体部とを連結及び開放するための押込部であって、清掃具用柄の軸線と交差する方向に突出しているものとを備えている場合には、清掃具用柄を窪み部に収納したときに、上記押込部が、回転部材連結面に向かって、すなわち、厚さ方向第２方向に向かって突出しないように構成されていることが好ましく、そして上記平面方向に沿う方向に突出するように構成されていることがより好ましい。それにより、狭空間を清掃する際に、押込部が狭空間の天面部及び底面部に接触しにくくなり、押込部が天面部及び底面部を傷つけにくくなる。
なお、上記押込部は、ヘッド回転部材及び柄本体部のどちらに配置されていてもよい。
【００７８】
また、本開示の清掃具では、柄本体部が、ヘッド回転部材に連結されている第１柄部分と、第２柄部分と、第１柄部分及び第２柄部分を連結及び開放するための本体押込部であって、清掃具用柄の軸線と交差する方向に突出しているものとを備えている場合には、清掃具用柄を窪み部に収納したときに、本体押込部が、回転部材連結面に向かって、すなわち、厚さ方向第２方向に向かって突出しないように構成されていることが好ましく、そして上記平面方向に沿う方向に突出するように構成されていることがより好ましい。それにより、狭空間を清掃する際に、本体押込部が狭空間の天面部及び底面部に接触しにくくなり、本体押込部が天面部及び底面部を傷つけにくくなる。
なお、上記本体押込部は、第１柄部分及び第２柄部分のどちらに配置されていてもよい。
態様Ａ群に係る清掃具の構成部材は、他の態様群（態様Ｂ群、態様Ｃ群）に記載の清掃具の構成部材と任意に組み合わせることができる。
【００７９】
［態様Ｂ群］
図６〜図８は、本開示の実施形態の１つ（以下、「第（Ｂ−１）実施形態」と称する）に従う清掃ヘッド１０１を説明するための図である。具体的には、図６は、第（Ｂ−１）実施形態に従う清掃ヘッド１０１の斜視図である。図７は、ヘッド回転部材１０９及び清掃具用柄１１３を説明するための図である。図８は、ヘッド回転部材１０９及び清掃具用柄１１３を取り付けた清掃ヘッド１０１の斜視図である。
【００８０】
図６に示されるように、第（Ｂ−１）実施形態に従う清掃ヘッド１０１は、長手方向Ｌ及び短手方向Ｓを含む平面方向Ｐと、厚さ方向Ｔとを備えている板状の形状を有するとともに、清掃面ＣＳと、清掃面ＣＳと反対側のヘッド回転部材連結面ＨＳとを備えている。
【００８１】
清掃ヘッド１０１は、コア材としての発泡スチロールと、コア材である発泡スチロールを覆う、シェル材としての厚紙とから構成されており、使い捨て可能なように構成されている。また、清掃ヘッド１０１は、ヘッド回転部材連結面ＨＳの長手方向Ｌ及び短手方向Ｓの両端部の４カ所に、面ファスナーのフック部材から構成される清掃シート取付部１０３が配置されており、清掃ヘッド１０１が、清掃シート（図示せず）を取り付けて用いられるように構成されている。
【００８２】
柄連結部１０５と、ヘッド回転部材１０９と、清掃具用柄１１３とは、繰り返し使用されるものであり、ヘッド回転部材１０９と、清掃具用柄１１３とは、一体に構成されているとともに、柄連結部１０５と、ヘッド回転部材１０９とが、回転可能に連結されている。
【００８３】
図７に示されるように、柄連結部１０５のヘッド回転部材１０９と反対側の面には、４本の固定用突起１０７が配置されている。清掃具１１１を用いる際には、柄連結部１０５の４本の固定用突起１０７を、清掃ヘッド１０１のヘッド回転部材連結面ＨＳの中央に突き刺して、図８に示されるように、清掃ヘッド１０１を、清掃具用柄１１３に固定する。次いで、清掃ヘッド１０１の清掃面ＣＳを、不織布からなる清掃シート（図示せず）の中央に乗せ、清掃シートの端部を、清掃シート取付部１０３に固定し、清掃具１１１を使用することができる。
【００８４】
清掃ヘッド１０１は、清掃ヘッド１０１自体が汚れるまで数回清掃シートを交換して使用した後、廃棄することができ、そして高い清浄度が求められる場合、汚れのひどい場所を清掃する場合等には、清掃ヘッド１０１を、清掃シートとともに、毎回廃棄してもよい。
【００８５】
図９及び図１０は、本開示の別の実施形態（以下、「第（Ｂ−２）実施形態」と称する）に従う清掃ヘッド１０１を説明するための図である。具体的には、図９は、第（Ｂ−２）実施形態に従う清掃ヘッド１０１の斜視図である。図１０は、清掃具用柄１１３を取り付けた清掃ヘッド１０１の斜視図である。
【００８６】
第（Ｂ−２）実施形態に従う清掃ヘッド１０１は、長手方向Ｌ及び短手方向Ｓを含む平面方向Ｐと、厚さ方向Ｔとを備えている板状の形状を有するとともに、清掃面ＣＳと、清掃面ＣＳと反対側のヘッド回転部材連結面ＨＳとを備えている。
【００８７】
清掃ヘッド１０１は、コア材としての発泡スチロールと、コア材である発泡スチロールを覆う、シェル材としての厚紙とから構成されており、使い捨て可能なように構成されている。また、清掃ヘッド１０１は、ヘッド回転部材連結面ＨＳの長手方向Ｌ及び短手方向Ｓの中央に、窪み部１１５を有しており、窪み部１１５に、長手方向Ｌに延びている、円柱状の柄連結部１０５が固定されている。換言すると、清掃ヘッド１０１は、柄連結部１０５と一体化されており、清掃ヘッド１０１は、柄連結部１０５とともに使い捨て可能なように構成されている。
【００８８】
また、清掃ヘッド１０１は、ヘッド回転部材連結面ＨＳの長手方向Ｌ及び短手方向Ｓの両端部の４カ所に、面ファスナーのフック部材から構成される清掃シート取付部１０３を有しており、清掃ヘッド１０１が、清掃シート（図示せず）を取り付けて用いられるように構成されている。
【００８９】
ヘッド回転部材１０９と、清掃具用柄１１３とは、繰り返し使用されるものであり、ヘッド回転部材１０９と、清掃具用柄１１３とは、一体に構成されている。また、ヘッド回転部材１０９は、円柱状の柄連結部１０５に回転可能に連結及び開放可能であるように構成されている。
【００９０】
清掃具１１１を使用する際には、清掃ヘッド１０１の柄連結部１０５に、ヘッド回転部材１０９を連結し、次いで、不織布から構成される清掃シートの中央に、清掃ヘッド１０１の清掃面ＣＳを乗せ、次いで、清掃シートの両端を、清掃ヘッド１０１の清掃シート取付部１０３に固定する。
【００９１】
清掃ヘッド１０１は、第（Ｂ−１）実施形態に従う清掃ヘッド１０１と同様に、清掃ヘッド１０１自体が汚れるまで数回清掃シートを交換して使用した後、廃棄することができ、そして高い清浄度が求められる場合、汚れのひどい場所を清掃する場合等には、清掃ヘッド１０１を、清掃シートとともに、毎回廃棄してもよい。
【００９２】
本開示の清掃ヘッドは、清掃ヘッドと、柄連結部と、柄連結部に連結されるヘッド回転部材と、ヘッド回転部材に連結される清掃具用柄とを備えている清掃具用の清掃ヘッドである。
本開示の清掃ヘッドは、使い捨て可能なように構成されており、柄連結部、ヘッド回転部材、及び清掃具用柄、並びにそれらの任意の組み合わせからからなる群から選択される部材を、清掃ヘッドに近い順から備えていることができ、そしてそれらを備えていなくともよい。すなわち、柄連結部、ヘッド回転部材又は清掃具用柄が、使い捨て可能なように構成されていてもよい。
【００９３】
本開示の清掃ヘッドは、清掃面と、清掃面と反対側の、ヘッド回転部材を連結するためのヘッド回転部材連結面とを備えているものであれば、その構造は、特に制限されない。
本開示の清掃ヘッドは、清掃ヘッドそのものが汚れを除去するものであってよく、そして清掃シートを取り付けて汚れを除去するものであってもよい。その場合には、清掃シートは、本開示の清掃ヘッドと一体であってもよく、そして別体であってもよい。
【００９４】
本開示の清掃ヘッドの素材は、使い捨て可能なものであれば、特に制限されず、紙、発泡スチロール、プラスチック、木材、及びそれらの任意の組み合わせからなる群から選択されることができる。上記プラスチックは、生分解性を有するもの、リサイクルされたもの等であってもよい。
【００９５】
本開示の清掃ヘッドが、清掃シートとともに使用されるものであり、清掃シートと別体である場合には、清掃ヘッドが、清掃シートを取り付けるための清掃シート取付部を備えていてもよい。上記清掃シート取付部としては、両面テープ、接着剤、面ファスナー（例えば、フック部材）、メカニカルロック（例えば、スリット部、クリップ部、フック部）、及びそれらの任意の組み合わせからなる群から選択されるものが挙げられる。
態様Ｂ群に係る清掃ヘッドの構成部材は、他の態様群（態様Ａ群、態様Ｃ群）に記載の清掃ヘッドの構成部材と任意に組み合わせることができる。
【００９６】
［態様Ｃ群］
図１１は、本開示の実施形態の１つ（以下、「第（Ｃ−１）実施形態」と称する）に従う清掃具２０１を説明するための図である。具体的には、図１１は、第（Ｃ−１）実施形態に従う清掃具２０１の斜視図である。
清掃具２０１は、平面状の清掃ヘッド２０３と、清掃ヘッド２０３の側面に連結されている清掃具用柄２０５とを備えている。
【００９７】
清掃ヘッド２０３は、清掃シートを取り付けるための、２つのスリット部２０７を備えている。清掃具用柄２０５は、清掃ヘッド２０３に連結されている第１柄部分２０９と、第２柄部分２１１と、第３柄部分２１３と、把持部２１７を備える第４柄部分２１５とを順に備えている。
【００９８】
清掃具用柄２０５の軸線ＡＬと直交する方向において、清掃具用柄２０５が、清掃ヘッド２０３よりもたわみにくい。それにより、清掃具用柄が相対的にたわみにくいことから、狭空間の清掃性に優れる。
【００９９】
本開示の清掃具は、平面状の清掃ヘッドと、清掃ヘッドの側面に連結されている清掃具用柄とを備えているものであれば、特に制限されない。
本開示の清掃具は、回転機構を備えていないことが好ましい。清掃具用柄を相対的にたわませず、そして清掃ヘッドを相対的にたわませて狭空間を清掃するためである。
【０１００】
本開示の清掃具では、清掃具用柄のたわみ性と、清掃ヘッドのたわみ性とは、任意の方向のたわみ性であることができ、そして清掃具用柄の軸線と直交する方向のたわみ性であることが好ましい。清掃具には、清掃具用柄の軸線と直交する方向に力が加わる場合が多いからである。
態様Ｃ群に係る清掃具の構成部材は、他の態様群（態様Ａ群、態様Ｂ群）に記載の清掃具の構成部材と任意に組み合わせることができる。
【符号の説明】
【０１０１】
１    清掃具
３    清掃ヘッド
５    柄連結部
７    清掃具用柄
９    柄本体部
１１    ヘッド回転部材
１１ａ    第１部材
１１ｂ    第２部材
１１ｃ    連結部材
１３    窪み部
１５    底部
２１    連結部最高位部分
２３    ヘッド最高位部分
２５    窪み部最高位部分
２７    清掃領域
Ｐ    平面方向
Ｌ    長手方向
Ｓ    短手方向
Ｔ    厚さ方向
Ｔ1    厚さ方向第１方向
Ｔ2    厚さ方向第２方向
ＣＳ    清掃面
ＨＳ    ヘッド回転部材連結面
ＡＬ    軸線
【図１】
2020188823.tif 000003
【図２】
2020188823.tif 000004
【図３】
2020188823.tif 000005
【図４】
2020188823.tif 000006
【図５】
2020188823.tif 000007
【図６】
2020188823.tif 000008
【図７】
2020188823.tif 000009
【図８】
2020188823.tif 000010
【図９】
2020188823.tif 000011
【図１０】
2020188823.tif 000012
【図１１】
2020188823.tif 000013